(57)【要約】【課題】発光色の異なる蛍光体の残光によって生じる映像の表示品質の低下を抑制することができる映像信号処理装置、および映像表示システムを得ること。【解決手段】信号処理部２１が、映像信号からＲ、Ｇ、Ｂの表示映像信号を生成し、遅延部２２が、Ｒ、Ｇ、Ｂの表示映像信号をそれぞれ１フィールド分遅延させたＲ、Ｇ、Ｂの遅延表示映像信号を生成する。残光色補正部２３が、Ｒ、Ｇ、Ｂの遅延表示映像信号に基づいて１フィールド前のＲ、Ｇ、Ｂの表示映像信号におけるＢに対する残光度を算出し、算出した残光度に基づいてＢの補正信号を生成し、Ｂの補正信号がＢの表示映像信号より大きい場合には、Ｂの補正信号をＢの補正表示映像信号として選択し、Ｂの補正信号がＢの表示映像信号以下の場合にはＢの補正信号を補正表示映像信号として選択する。【選択図】        図３
2006284886.tif 000002
【特許請求の範囲】
【請求項１】
異なる色の蛍光体を発光させて映像を表示する表示装置を駆動するために、映像信号から前記蛍光体の色毎の出力表示映像信号を生成する映像信号処理装置において、
前記映像信号から生成した前記色毎の表示映像信号をそれぞれ１フィールド分遅延させて、前記色毎の遅延表示映像信号を生成する遅延手段と、
前記異なる色の少なくとも１つを補正対象色として、前記遅延手段によって生成された各遅延表示映像信号に基づいて、前記補正対象色の表示映像信号に残光色補正処理を施して前記出力表示映像信号を生成する残光色補正手段と、
を備え、
前記残光色補正手段は、
前記各遅延表示映像信号に基づいて前記補正対象色に対する残光度を算出する残光度算出手段と、
前記残光度算出手段によって算出された残光度に基づいて補正信号を生成する補正信号生成手段と、
前記補正対象色の表示映像信号が前記補正信号生成手段によって生成された補正信号以上の場合には前記補正対象色の表示映像信号を前記出力表示映像信号として出力し、前記補正対象色の表示映像信号が前記補正信号より小さい場合には前記補正信号を前記出力表示映像信号として出力する信号選択手段と、
を備えることを特徴とする映像信号処理装置。
【請求項２】
前記残光度算出手段は、
前記補正対象色とは異なる色の遅延表示映像信号の値の中で最も大きい遅延表示映像信号を選択し、選択した遅延表示映像信号の値と前記補正対象色の遅延表示映像信号の値とを比較して小さい方の値を残光度とすること、
を特徴とする請求項１に記載の映像信号処理装置。
【請求項３】
前記補正信号生成手段は、
前記残光度が予め設定されている前記補正対象色に対応する閾値以下の場合には、補正信号を予め定められた固定値とし、前記残光度が前記閾値より大きい場合には、前記残光度に対応した補正信号を生成すること、
を特徴とする請求項１または２に記載の映像信号処理装置。
【請求項４】
前記補正対象色の１つを、前記異なる色の蛍光体の中で最も残光時間が短い蛍光体の色とすること、
を特徴とする請求項１〜３の何れか一つに記載の映像信号処理装置。
【請求項５】
請求項１〜４の何れか一つに記載の映像信号処理装置と、異なる色の蛍光体の組からなる複数のセルで構成される表示手段を有し、前記映像信号処理装置によって生成された出力表示映像信号に基づいて前記異なる色の蛍光体を発光させて映像を表示する表示装置とを備える表示映像システムにおいて、
前記表示装置は、
前記複数のセルの異なる色の蛍光体を発光させる発光パルスを、前記色毎の出力表示映像信号が示す値に応じて、フィールドの先頭から順に任意の数だけ生成する発光パルス発生手段、
を備えることを特徴とする映像表示システム。
【発明の詳細な説明】
【技術分野】
【０００１】
この発明は、映像信号処理装置および映像表示システムに関するものである。
【背景技術】
【０００２】
近年、薄型で大画面、高品質であることから、プラズマディスプレイパネル（以下、ＰＤＰとする）を用いた表示装置が急速に普及している。ＰＤＰは、蛍光体が希ガスに電流を流した際に生じる紫外線を可視光に変換（発光）することを利用して、光の３原色である赤（以下、Ｒとする）、緑（以下、Ｇとする）、青（以下、Ｂとする）の蛍光体を有するセルをマトリックス状に備え、各セルのＲ、Ｇ、Ｂの蛍光体を発光させて映像を表示する。
【０００３】
蛍光体は２値発光素子であるので、発光パルスによって１フィールド単位の積分発光量を制御する階調表示を用いて蛍光体の発光色の輝度を調整しているが、発光パルスをオフにしても発光パルスの立下りで瞬時に発光量が減衰するわけではなく、発光色の残光がある。
【０００４】
ＰＤＰでは、一般的に、Ｒ、Ｇ、Ｂの蛍光体として異なる材料を用いているが、発光色によって残光特性は異なる。たとえば、図１に示すように、Ｒ、Ｇ、Ｂの蛍光体に対して同一の発光パルスＰを印加した場合、Ｂの蛍光体、Ｒの蛍光体、Ｇの蛍光体毎に減衰特性が異なっており、Ｂの蛍光体の残光量に対するＲおよびＧの蛍光体の残光量との差は特に大きい。
【０００５】
このような残光量の差は、表示すべき色とは異なる色を表示することになる。すなわち、Ｒ、Ｇ、Ｂの蛍光体の発光色による加法混色によって色を表示しているので、発光色の１つが無くなると異なる色となるためである。たとえば、彗星の動画像のように黒色の背景上で、Ｒ、Ｇ、Ｂの加色である白色物体が移動する動画像では、白色物体に対して加法混色の原理から尻尾形状に、ＲとＧとの加色である黄色の尾引きが生じてしまい、映像品質を低下させ、視聴者に違和感を与えてしまうという問題があった。
【０００６】
このような問題を改善するための従来技術として、特許文献１および特許文献２がある。特許文献１には、１フィールド前の各セルの画素値（輝度）を発光色毎に一律に低減した値を、現フィールドの各セルの発光色毎の画素値に重畳することで、１フィールド前の残光の影響を軽減して尾引きによる違和感を低減する技術が開示されている。
【０００７】
また、特許文献２には、１フィールドを輝度重みの異なる複数のサブフィールドで構成し、各サブフィールドを発光、または非発光制御して多階調表示するカラー画像表示装置を用いた場合に、１フィールド前の画像信号を各サブフィールド信号に分離し、分離したサブフィールド信号の中で最も輝度重みの大きいサブフィールド信号に残光係数を乗算した擬似残光信号を現フィールドの映像信号に加算することで、１フィールド前の残光の色を現画像と同じにして違和感をなくす技術が開示されている。
【０００８】
【特許文献１】特開２００２−１４６４７号公報
【特許文献２】特開２００４−１３８９４０号公報
【発明の開示】
【発明が解決しようとする課題】
【０００９】
しかしながら、上記特許文献１に記載の従来技術では、現フィールドの画像信号に１フィールド前の画像信号を一律に低減した値を重畳するようにしているので、映像信号によっては、重畳する映像信号が大きすぎたり、小さすぎたりすることがあり、尾引きが発生しない映像の違和感を増大させてしまうという問題が一例として挙げられる。
【００１０】
また、上記特許文献２に記載の従来技術は、サブフィールド毎に異なる残光係数を用いるようにしているので、１フィールドを輝度重みの異なる複数のサブフィールドで構成し、各サブフィールドを発光、または非発光制御する発光制御方式、すなわち、各サブフィールドにおける発光パルスの組合せによって輝度を表現する発光制御方式（ランダム発光方式）においては有効である。しかしながら、１フィールドを階調数分のサブフィールドに分割し、先頭のサブフィールドから順に発光パルスを発生させ、発光パルスの単純な積み重ねによって階調を表現する発光制御方式（前詰め発光方式）に適用することは難しいという問題が一例として挙げられる。
【００１１】
たとえば、蛍光体の輝度を８段階の階調「０」〜階調「７」で表す場合について考える。ランダム発光方式においては、１フィールドが３つのサブフィールドで構成され、１番目のサブフィールドは輝度重み「１」であり、２番目のサブフィールドは輝度重み「２」であり、３番目のサブフィールドは輝度重み「４」となる。
【００１２】
階調「１」の場合には１番目のサブフィールドで発光パルスを発生させ、階調「２」の場合には２番目のサブフィールドに発光パルスを発生させ、階調「３」の場合には１番目と２番目のサブフィールドで発光パルスを発生させ、階調「４」の場合には次のフィールドに最も残光の影響を与える３番目のサブフィールドで発光パルスを発光させる。
【００１３】
これに対して、前詰め発光方式においては、１フィールドが７つのサブフィールドで構成され、階調「１」の場合にはフィールドの１番目のサブフィールドで発光パルスを発生させ、階調「２」の場合にはフィールドの１番目と２番目のサブフィールドで発光パルスを発生させ、階調「３」の場合にはフィールドの１〜３番目のサブフィールドで発光パルスを発生させ、階調「４」の場合にはフィールドの１〜４番目のサブフィールドで発光パルスを発生させるというように、階調が大きくなるにしたがって、フィールドの後方のサブフィールドに発光パルスが発生する。
【００１４】
ここで、階調「４」の場合に着目すると、ランダム発光方式の場合には次のフィールドに最も残光の影響を与える３番目のサブフィールドに発光パルスが発生するが、前詰め発光方式の場合には７つあるサブフィールドの中で１〜４番目のサブフィールドまでしか発光パルスが発生しない。したがって、４番目のサブフィールドの発光パルスによる残光は、５〜７番目のサブフィールドの間に減衰するので、次のフィールドに与える影響は、ランダム発光方式の場合と比較して小さくなる。
【００１５】
すなわち、同一階調であっても発光方式の違いによって、次のフィールドに影響を与える残光量が異なる。そのため、ランダム発光方式に適用される上記特許文献２に記載の従来技術を前詰め発光方式に用いても、残光の影響をなくすことはできないだけでなく、残光の影響が無い場合でも違和感を大きくしてしまうことが考えられる。
【００１６】
本発明は、上記に鑑みてなされたものであって、発光色の異なる蛍光体の残光によって生じる映像の表示品質の低下を抑制する映像信号処理装置、および映像表示システムを得ることを目的としている。
【課題を解決するための手段】
【００１７】
請求項１に記載の発明は、異なる色の蛍光体を発光させて映像を表示する表示装置を駆動するために、映像信号から前記蛍光体の色毎の出力表示映像信号を生成する映像信号処理装置において、前記映像信号から生成した前記色毎の表示映像信号をそれぞれ１フィールド分遅延させて、前記色毎の遅延表示映像信号を生成する遅延手段と、前記異なる色の少なくとも１つを補正対象色として、前記遅延手段によって生成された各遅延表示映像信号に基づいて、前記補正対象色の表示映像信号に残光色補正処理を施して前記出力表示映像信号を生成する残光色補正手段と、を備え、前記残光色補正手段は、前記各遅延表示映像信号に基づいて前記補正対象色に対する残光度を算出する残光度算出手段と、前記残光度算出手段によって算出された残光度に基づいて補正信号を生成する補正信号生成手段と、前記補正信号生成手段によって生成された補正信号が前記補正対象色の表示映像信号より大きい場合には前記補正信号を前記出力表示映像信号として出力し、前記補正信号が前記補正対象色の表示映像信号以下の場合には前記補正対象色の表示映像信号を前記出力表示映像信号として出力する信号選択手段と、を備えることを特徴とする。
【発明を実施するための最良の形態】
【００１８】
以下に添付図面を参照して、本発明にかかる映像信号処理装置および映像表示システムの好適な実施例を詳細に説明する。なお、この実施例によりこの発明が限定されるものではない。
【００１９】
［概要および特徴］
この発明にかかる映像信号処理装置は、映像信号から生成した色毎の輝度を示す表示映像信号に対して残光補正処理を行なう補正対象色の残光度を１フィールド前の各色の表示映像信号から算出し、算出した残光度に応じた補正信号を生成し、補正信号が補正対象色の現フィールドの表示映像信号より大きい場合には補正信号を出力表示映像信号とし、補正信号が補正対象色の現フィールドの表示映像信号以下の場合には現フィールドの表示映像信号を出力表示映像信号とするものである。
【実施例１】
【００２０】
図２〜図７を用いてこの発明にかかる実施例１を説明する。図２は、この発明にかかる実施例１の映像表示システムの構成を示すブロック図である。図２において、映像表示システムは、メディアレシーバ２（特許請求の範囲でいうところの映像信号処理装置）と、表示装置４とが、ケーブルなどの伝送路６によって接続されている。
【００２１】
メディアレシーバ２は、ＤＶＤ（Digital Versatile Disk)プレーヤやパーソナルコンピュータ、ＢＳデジタル放送の受信機などから入力される映像信号から赤（以下、Ｒとする）、緑（以下、Ｇとする）、青（以下、Ｂとする）の輝度を階調表示した表示映像信号を生成する。メディアレシーバ２は、Ｒ、Ｇ、Ｂそれぞれの表示映像信号を生成する際に、Ｒ、Ｇ、Ｂの中で最も残光時間の短い色（この場合は、Ｂ）の映像信号に対して残光色補正処理を実行する。
【００２２】
図３は、図２に示したメディアレシーバ２の構成を示すブロック図である。メディアレシーバ２は、信号処理部２１と、遅延部２２と、残光色補正部２３と、通信インタフェース部（図中では、通信ＩＦ部）２４とを備えている。
【００２３】
信号処理部２１は、映像信号にＩＰ（インターレース・プログレッシブ）変換処理やリサイズ処理を施して表示装置４に対応する映像信号を生成し、生成した映像信号からＲ、Ｇ、Ｂの表示映像信号を生成する。
【００２４】
遅延部２２は、信号処理部２１によって生成されたＲ、Ｇ、Ｂの表示映像信号を１フィールド時間遅延させたＲ、Ｇ、Ｂの遅延表示映像信号を生成する。残光色補正部２３は、遅延部２２によって生成されたＲ、Ｇ、Ｂの遅延表示映像信号に基づいて、Ｂの表示映像信号に対して残光色補正処理を行なう。
【００２５】
図４は、図３に示した残光色補正部２３の構成を示すブロック図である。図４において、残光色補正部２３は、残光度算出部２３１と、補正信号生成部２３２と、信号選択部２３３とを備えている。
【００２６】
残光度算出部２３１は、遅延部２２によって生成されたＲ、Ｇ、Ｂの遅延表示映像信号から１フィールド前のＲ、Ｇ、Ｂの表示映像信号における残光度を算出する。補正信号生成部２３２は、残光度算出部２３１によって算出された残光度に基づいてＢの補正信号を生成する。信号選択部２３３は、補正信号に基づいてＢの表示映像信号を補正したＢの補正表示映像信号を生成する。
【００２７】
図３に戻って、通信インタフェース部２４は、伝送路６を介して表示装置４と通信を行なうインタフェース機能を備え、表示装置４に映像信号による映像を表示させるための映像情報（フィールド同期信号やＲ、Ｇ、Ｂの出力表示映像信号など）を送信する。
【００２８】
図２に戻って、表示装置４は、メディアレシーバ２によって生成されたＲ、Ｇの表示映像信号およびＢの補正表示映像信号に基づいて映像を表示する。
【００２９】
図５は、図２に示した表示装置４の構成を示すブロック図である。表示装置４は、通信インタフェース部（図中では、通信ＩＦ部）４１と、発光パルス発生部４２と、表示部４３とを備えている。通信インタフェース部４１は、伝送路６を介してメディアレシーバ２と通信を行なうインタフェース機能を備え、メディアレシーバ２からの映像情報を受信する。
【００３０】
発光パルス発生部４２は、映像情報に基づいて表示部４３に印加する発光パルスを生成する。具体的には、Ｒ、Ｇ、Ｂの出力表示映像信号が示す階調表示による輝度に応じて各セルのＲ、Ｇ、Ｂの蛍光体を発光させる発光パルスを生成する。発光パルスの生成は、Ｒ、Ｇ、Ｂの出力表示映像信号が示す値に応じて、フィールドの先頭から順に任意の数だけ生成する発光制御方式、たとえば、１フィールドを階調数分のサブフィールドに分割し、先頭のサブフィールドから順に発光パルスを発生させ、発光パルスの単純な積み重ねによって階調を表現する前詰め発光方式を用いる。
【００３１】
表示部４３は、ＰＤＰで構成され、発光パルス発生部４２によって生成されたＲ、Ｇ、Ｂの発光パルスによって駆動される複数のセル（Ｒ、Ｇ、Ｂの蛍光体の組であり、１画素に対応する）によってカラー表示を行なう。
【００３２】
つぎに、この実施例１の映像表示システムの動作を説明する。まず、メディアレシーバ２の動作を説明する。信号処理部２１は、映像信号にＩＰ変換処理やリサイズ処理を施して表示装置４の表示部４３に対応する映像信号を生成する。信号処理部２１は、生成した映像信号からＲ、Ｇ、Ｂの表示映像信号を生成する。具体的には、生成した映像信号から、表示装置４の表示部４３の各画素に対応するセルのＲ、Ｇ、Ｂの蛍光体の輝度を示す階調を選択し、選択した階調をＲ、Ｇ、Ｂの表示映像信号とする。信号処理部２１は、生成したＲ、Ｇの表示映像信号を遅延部２２、残光度算出部２３１、および通信インタフェース部２４に出力するとともに、Ｂの表示映像信号を遅延部２２、残光度算出部２３１、および信号選択部２３３に出力する。
【００３３】
遅延部２２は、Ｒ、Ｇ、Ｂの表示映像信号を１フィールド遅延させたＲ、Ｇ、Ｂの遅延表示映像信号を生成する。遅延部２２は、生成したＲ、Ｇ、Ｂの遅延表示映像信号を残光度算出部２３１に出力する。
【００３４】
残光度算出部２３１は、Ｒ、Ｇ、Ｂの遅延表示映像信号から１フィールド前のＲ、Ｇ、Ｂの表示映像信号における残光度を算出する。残光色補正処理の対象となる補正対象色の遅延表示映像信号をＫＤとし、補正対象色とは異なる２つの非補正対象色の遅延表示映像信号をＦＤ１、ＦＤ２とすると、補正対象色に対する残光度Ｚは、
Ｚ＝ＭＩＮ（ＭＡＸ（ＦＤ１，ＦＤ２），ＫＤ）      ・・・（式１）
で表すことができる。
【００３５】
すなわち、残光度算出部２３１は、補正対象色以外の非補正対象色の遅延表示映像信号の値が大きい方を選択し、選択した非補正対象色の遅延表示映像信号の値と補正対象色の遅延表示映像信号の値とを比較して遅延表示映像信号の値が小さい方を残光度とする。
【００３６】
ここでは、Ｂが補正対象色であるので、Ｒの遅延表示映像信号をＤＲとし、Ｇの遅延表示映像信号をＤＧとし、Ｂの遅延表示映像信号をＤＢとすると、Ｂの残光度ＺＢは、（式１）より、
ＺＢ＝ＭＩＮ（ＭＡＸ（ＤＲ，ＤＧ），ＤＢ）      ・・・（式２）
となる。残光度算出部２３１は、上記（式２）を用いて残光度ＺＢを算出する。残光度算出部２３１は、算出した残光度ＺＢを補正信号生成部２３２に出力する。
【００３７】
補正信号生成部２３２は、残光度ＺＢに基づいて補正信号を生成する。具体的には、残光度ＺＢが補正を必要としない不感帯領域内の場合、補正信号生成部２３２は、補正信号を予め定められた固定値とし、残光度ＺＢが不感帯領域外の場合には、残光度ＺＢに対応する補正信号を生成する。
【００３８】
具体的には、補正信号生成部２３２は、残光度ＺＢと予め定められた閾値ＴｈＢとを比較して残光度ＺＢが不感帯領域内であるか否かを判定し、判定の結果に基づいて補正信号を生成する。
【００３９】
図６は、残光度と補正信号との関係の一例を示す図である。図６において、横軸は残光度を示し、縦軸は補正信号を示している。残光度が閾値Ｔｈ以下の（残光度が不感帯領域内）場合、補正信号は固定値（この場合は「０」）となり、残光度が閾値Ｔｈより大きい（残光度が不感帯領域外）場合、残光度の増加に対応して、補正信号も一定割合で増加している。
【００４０】
すなわち、残光度が小さい場合には視聴に影響が無いと判断して補正信号を「０」にし、残光度が大きい場合には視聴に影響がある（尾引きが発生する場合がある）と判断して補正信号を大きくしている。なお、図６においては、残光度が不感帯領域外の場合、一定割合で補正信号を増加させているが、これに限るものではない。
【００４１】
補正信号生成部２３２は、生成した補正信号を信号選択部２３３に出力する。信号選択部２３３は、補正信号に基づいてＢの表示映像信号を補正する。具体的には、信号選択部２３３は、Ｂの表示映像信号と補正信号とを比較して、補正を行うか否かを判定する。Ｂの表示映像信号が補正信号以上の場合、信号選択部２３３は、Ｂの表示映像信号を補正する必要が無いと判断して、Ｂの表示映像信号をＢの補正表示映像信号として通信インタフェース部２４に出力する。
【００４２】
Ｂの表示映像信号が補正信号より小さい場合、信号選択部２３３は、Ｂの表示映像信号を補正する必要があると判断して、Ｂの補正信号をＢの補正表示映像信号として通信インタフェース部２４に出力する。すなわち、Ｂの表示映像信号に残光補正成分を加算した信号と等価であるＢの補正信号をＢの補正表示映像信号とする。
【００４３】
通信インタフェース部２４は、Ｒ、Ｇ、Ｂの出力表示映像信号を含む映像情報を伝送路６を介して表示装置４に出力する。この場合、ＲとＧについては残光色補正処理が施されていないので、Ｒ、Ｇの表示映像信号がＲ、Ｇの出力表示映像信号であり、Ｂの補正表示映像信号がＢの出力表示映像信号となる。
【００４４】
つぎに、表示装置４の動作を説明する。通信インタフェース部４１は、伝送路６を介してメディアレシーバ２からの映像情報を受信して発光パルス発生部４２に出力する。発光パルス発生部４２は、映像情報内のＲ、Ｇ、Ｂの出力表示映像信号に基づいて表示部４３に印加する発光パルスを生成する。具体的には、Ｒ、Ｇ、Ｂの出力表示映像信号が示す値（階調）に応じて各セルのＲ、Ｇ、Ｂの蛍光体を発光させる発光パルスを生成する。発光パルス発生部４２は、生成したＲ、Ｇ、Ｂの発光パルスを表示部４３に出力する。表示部４３は、Ｒ、Ｇ、Ｂの発光パルスによって駆動される複数のセルによってカラー表示を行なう。
【００４５】
図７は、Ｒ、Ｇ、Ｂの表示映像信号、およびＢの補正表示映像信号に基づいて生成されるＲ、Ｇ、Ｂの発光パルスを示す概念図であり、１フィールド目が白で、２フィールド目が黒の場合を示している。白を表示する場合にはＲ、Ｇ、Ｂの表示映像信号は最大の輝度を示す値となるので、１フィールド目のＲ、Ｇ、Ｂの表示映像信号による発光パルスは、各サブフィールドにおいて発光パルスが発生する。また、Ｂの表示映像信号が最大の輝度を示す階調であるので、Ｂの補正表示映像信号はＢの表示映像信号が選択されている。
【００４６】
黒を表示する場合にはＲ、Ｇ、Ｂの表示映像信号は最小の輝度を示す値となるので、２フィールド目のＲ、Ｇ、Ｂの表示映像信号は「０」でありＲ、Ｇ、Ｂの表示映像信号による発光パルスはない。
【００４７】
１フィールド目の最後のサブフィールドにおいて発生した発光パルスＲＰ、ＧＰ、ＢＰによる残光ＲＡ、ＧＡ、ＢＡがあり、２フィールド目まで残光ＲＡ、ＧＡが残っている。そのため、Ｂの表示映像信号を用いた場合には緑の尾引きが発生してしまう。
【００４８】
しかし、２フィールド目のＢの補正表示映像信号は、１フィールド目のＲ、Ｇ、Ｂの表示映像信号における残光度に基づいてＢの表示映像信号が補正されており、発光パルスを発生させるので、Ｂの蛍光体が発光する。このＢの蛍光体の発光と残光ＲＡ、ＧＢによって、１フィールド目の白の表示時間が長くなり、尾引きの発生を抑制している。
【００４９】
このようにこの実施例１では、表示装置４の表示部４３に用いられているＲ、Ｇ、Ｂの蛍光体の中で最も残光時間の短いＢを補正対象色とし、信号処理部２１が、映像信号からＲ、Ｇ、Ｂの表示映像信号を生成し、遅延部２２が、Ｒ、Ｇ、Ｂの表示映像信号をそれぞれ１フィールド分遅延させたＲ、Ｇ、Ｂの遅延表示映像信号を生成し、残光度算出部２３１が、Ｒ、Ｇ、Ｂの遅延表示映像信号に基づいて１フィールド前のＲ、Ｇ、Ｂの表示映像信号におけるＢに対する残光度を算出し、補正信号生成部２３２が、残光度に基づいてＢの補正信号を生成し、信号選択部２３３が、Ｂの補正信号がＢの表示映像信号より大きい場合には、Ｂの補正信号をＢの補正表示映像信号として選択し、Ｂの補正信号がＢの表示映像信号以下の場合にはＢの表示映像信号を補正表示映像信号として選択する。表示装置４には、Ｒ、Ｇの出力表示映像信号としてＲ、Ｇの表示映像信号を送信し、Ｂの出力表示映像信号としてＢの補正表示映像信号を送信する。
【００５０】
すなわち、表示装置４の表示部４３に用いられているＲ、Ｇ、Ｂの蛍光体の中で最も残光時間の短いＢに対して、１フィールド前のＲ、Ｇ、Ｂの表示映像信号から算出した残光度に基づいて補正信号を生成し、生成した補正信号が現フィールドの表示映像信号より大きい場合には現フィールドの表示映像信号に残光補正成分を加算した信号と等価となる補正信号を表示装置４に出力する出力表示映像信号とし、補正信号が現フィールドの表示映像信号以下の場合には現フィールドの表示映像信号を出力表示映像信号としているので、１フィールド前の残光によって生じる映像の表示品質の低下を抑制して視聴者にとって違和感のない映像を表示することができる。
【００５１】
また、この実施例１では、補正信号生成部２３２は、残光度が予め設定されている閾値以下の場合には補正信号を予め定められた固定値とし、残光度が閾値より大きい場合には残光度に対応した補正信号を生成するようにしているので、一定比率で表示映像信号を補正する場合と比較して、１フィールド前の残光によって生じる映像の表示品質を向上することができる。
【実施例２】
【００５２】
図８を用いてこの発明の実施例２を説明する。実施例１では、Ｒ、Ｇ、Ｂの蛍光体の残光量が最も小さいＢを補正対象色として、１フィールド前の残光度に基づいてＢの表示映像信号を補正するようにしたが、Ｒ、Ｇ、Ｂを補正対象色として、Ｒ、Ｇ、Ｂの表示映像信号を補正するようにしてもよい。
【００５３】
この場合、メディアレシーバ２は、先の図４に示した残光色補正部２３の代わりに、Ｒ、Ｇ、Ｂの表示映像信号に対して残光色補正処理を行なう残光色補正部２３ａを備え、信号処理部２１は、生成したＲ、Ｇ、Ｂの表示映像信号を遅延部２２と残光色補正部２３ａとに出力する。
【００５４】
また、表示装置４には、残光色補正処理を施した後のＲ、Ｇ、Ｂの表示映像信号、すなわちＲ、Ｇ、Ｂの補正表示映像信号をＲ、Ｇ、Ｂの出力表示映像信号として送信する。
【００５５】
図８は、残光色補正部２３ａの構成を示すブロック図である。図８において、残光色補正部２３ａは、Ｒの表示映像信号を補正するための残光度を算出する残光度算出部２３１Ｒと、残光度算出部２３１Ｒによって算出された残光度に基づいてＲの補正信号を生成する補正信号生成部２３２Ｒと、補正信号生成部２３２Ｒによって生成された補正信号に基づいてＲの表示映像信号を補正する信号選択部２３３Ｒと、Ｇの表示映像信号を補正するための残光度を算出する残光度算出部２３１Ｇと、残光度算出部２３１Ｇによって算出された残光度に基づいてＧの補正信号を生成する補正信号生成部２３２Ｇと、補正信号生成部２３２Ｇによって生成された補正信号に基づいてＧの表示映像信号を補正する信号選択部２３３Ｇと、Ｂの表示映像信号を補正するための残光度を算出する残光度算出部２３１Ｂと、残光度算出部２３１Ｂによって算出された残光度に基づいてＢの補正信号を生成する補正信号生成部２３２Ｂと、補正信号生成部２３２Ｂによって生成された補正信号に基づいてＢの表示映像信号を補正する信号選択部２３３Ｂとを備えている。
【００５６】
つぎに、この実施例２の映像表示システムの動作を説明する。なお、この実施例２の映像表示システムと、実施例１の映像表示システムとの相違点は、Ｒ、Ｇ、Ｂの表示映像信号に対して残光色補正処理を行なうのか、Ｂの表示映像信号に対してのみ残光色補正処理を行なうのかだけであるので、残光色補正部２３ａが行なう残光色補正処理の動作のみを説明する。また、Ｂの表示映像信号に対する残光色補正処理を行なう残光度算出部２３１Ｂ、補正信号生成部２３２Ｂ、および信号選択部２３３Ｂの動作は、実施例１の残光度算出部２３１、補正信号生成部２３２、および信号選択部２３３と同じであるので、ここではその説明を省略する。
【００５７】
まず、Ｒを補正対象色としたＲの表示映像信号に対する残光色補正処理の動作を説明する。残光度算出部２３１Ｒは、Ｒを補正対象色として、遅延部２２から入力されるＲ、Ｇ、Ｂの遅延表示映像信号に基づいて、残光度を算出する。
【００５８】
Ｒの遅延表示映像信号をＤＲとし、Ｇの遅延表示映像信号をＤＧとし、Ｂの遅延表示映像信号をＤＢとすると、Ｒの残光度ＺＲは、先の（式１）より、
ＺＲ＝ＭＩＮ（ＭＡＸ（ＤＢ，ＤＧ），ＤＲ）      ・・・（式３）
で表すことができる。残光度算出部２３１Ｒは、上記（式３）を用いて残光度ＺＲを算出して補正信号生成部２３２Ｒに出力する。
【００５９】
補正信号生成部２３２Ｒは、残光度ＺＲに基づいて補正信号を生成する。具体的には、補正信号生成部２３２Ｒは、残光度ＺＲと予め定められた閾値ＴｈＲとを比較して残光度ＺＲが不感帯領域内であるか否かを判定する。残光度ＺＲが閾値ＴｈＲ以下の（残光度ＺＲが不感帯領域内）場合、補正信号生成部２３２Ｒは、予め定められた固定値をＲの補正信号として信号選択部２３３Ｒに出力する。残光度ＺＲが閾値ＴｈＲより大きい（残光度ＺＲが不感帯領域外）場合、補正信号生成部２３２Ｒは、残光度ＺＲの値に対応する補正信号を生成して信号選択部２３３Ｒに出力する。
【００６０】
信号選択部２３３Ｒは、Ｒの表示映像信号とＲの補正信号とを比較して、補正を行うか否かを判定する。Ｒの表示映像信号がＲの補正信号以上の場合、信号選択部２３３Ｒは、Ｒの表示映像信号を補正する必要が無いと判断して、Ｒの表示映像信号をそのままＲの補正表示映像信号として通信インタフェース部２４に出力する。
【００６１】
Ｒの表示映像信号がＲの補正信号より小さい場合、信号選択部２３３Ｒは、Ｒの補正信号をＲの補正表示映像信号として通信インタフェース部２４に出力する。すなわち、Ｒの表示映像信号に残光補正成分を加算した信号と等価であるＲの補正信号をＲの補正表示映像信号とする。
【００６２】
つぎに、Ｇを補正対象色としたＧの表示映像信号に対する残光色補正処理の動作を説明する。残光度算出部２３１Ｇは、Ｇを補正対象色として、遅延部２２から入力されるＲ、Ｇ，Ｂの遅延表示映像信号に基づいて、残光度を算出する。
【００６３】
Ｒの遅延表示映像信号をＤＲとし、Ｇの遅延表示映像信号をＤＧとし、Ｂの遅延表示映像信号をＤＢとすると、Ｇの残光度ＺＧは、先の（式１）より、
ＺＧ＝ＭＩＮ（ＭＡＸ（ＤＢ，ＤＲ），ＤＧ）      ・・・（式４）
で表すことができる。残光度算出部２３１Ｇは、上記（式４）を用いて残光度ＺＧを算出して補正信号生成部２３２Ｇに出力する。
【００６４】
補正信号生成部２３２Ｇは、残光度ＺＧに基づいて補正信号を生成する。具体的には、補正信号生成部２３２Ｇは、残光度ＺＧと予め定められた閾値ＴｈＧとを比較して残光度ＺＧが不感帯領域内であるか否かを判定する。残光度ＺＧが閾値ＴｈＧ以下の（残光度ＺＧが不感帯領域内）場合、補正信号生成部２３２Ｇは、予め定められた固定値をＧの補正信号として信号選択部２３３Ｇに出力する。残光度ＺＧが閾値ＴｈＧより大きい（残光度ＺＧが不感帯領域外）場合、補正信号生成部２３２Ｇは、残光度ＺＧの値に対応する補正信号を生成して信号選択部２３３Ｇに出力する。
【００６５】
信号選択部２３３Ｇは、Ｇの表示映像信号とＧの補正信号とを比較して、補正を行うか否かを判定する。Ｇの表示映像信号がＧの補正信号以上の場合、信号選択部２３３Ｇは、Ｇの表示映像信号をそのままＧの補正表示映像信号として通信インタフェース部２４に出力する。
【００６６】
Ｇの表示映像信号がＧの補正信号より小さい場合、信号選択部２３３Ｇは、Ｇの補正信号をＧの補正表示映像信号として通信インタフェース部２４に出力する。すなわち、Ｇの表示映像信号に残光補正成分を加算した信号と等価であるＧの補正信号をＧの補正表示映像信号とする。
【００６７】
このようにこの実施例２では、表示装置４の表示部４３に用いられている蛍光体の全ての色を補正対象色として、補正対象色毎に、１フィールド前のＲ、Ｇ、Ｂの表示映像信号から算出した残光度に基づいて補正信号を生成し、生成した補正信号が現フィールドの表示映像信号より大きい場合には現フィールドの表示映像信号に残光補正成分を加算した信号と等価となる補正信号を表示装置４に出力する出力表示映像信号とし、補正信号が現フィールドの表示映像信号以下の場合には現フィールドの表示映像信号を出力表示映像信号としているので、１フィールド前の残光によって生じる映像の表示品質の低下を抑制して視聴者にとって違和感のない映像を表示することができる。
【図面の簡単な説明】
【００６８】
【図１】Ｒ、Ｇ、Ｂの蛍光体の発光特性を示す図である。
【図２】この発明にかかる実施例１の映像表示システムの構成を示す図である。
【図３】図２に示したメディアレシーバの構成を示すブロック図である。
【図４】図３に示した残光色補正部の構成を示すブロック図である。
【図５】図２に示した表示装置の構成を示すブロック図である。
【図６】残光度と補正信号との関係の一例を示す図である。
【図７】Ｒ，Ｇ、Ｂの表示映像信号およびＢの補正表示映像信号に基づいて生成されるＲ、Ｇ、Ｂの発光パルスを示す概念図である。
【図８】この発明にかかる実施例２のメディアレシーバの残光色補正部の構成を示すブロック図である。
【符号の説明】
【００６９】
２  メディアレシーバ
４  表示装置
６  伝送路
２１  信号処理部
２２  遅延部
２３，２３ａ  残光色補正部
２４，４１  通信インタフェース部
４２  発光パルス発生部
４３  表示部
２３１，２３１Ｒ，２３１Ｇ，２３１Ｂ  残光度算出部
２３２，２３２Ｒ，２３２Ｇ，２３２Ｂ  補正信号生成部
２３３，２３３Ｒ，２３３Ｇ，２３３Ｂ  信号選択部
【図１】
2006284886.tif 000003
【図２】
2006284886.tif 000004
【図３】
2006284886.tif 000005
【図４】
2006284886.tif 000006
【図５】
2006284886.tif 000007
【図６】
2006284886.tif 000008
【図７】
2006284886.tif 000009
【図８】
2006284886.tif 000010